(57)【要約】【課題】扇風機に設置することにより簡単に冷風を得る。【解決手段】冷却剤などを収容する第一、第二容器１，３、第一、第二容器に形成される凝結水を収集して受ける第一、第二集水部品２，４から構成され、  冷却剤などを収容した第一、二容器を冷凍庫で冷却した後、該容器上端で連結し、定位鉤１８などにより扇風機６に取り付けて使用する。  扇風機による送風は該第一、二容器により冷却されて冷風を形成すると共に、該容器外周に形成される凝結水は容器下端に連結された第一、第二集水部品２，４に流れ込み、床などに滴下することはない。【選択図】図６
0003155870.tif 000002
【実用新案登録請求の範囲】
【請求項１】
内部に保冷剤収容槽を形成し、その一端には位置決め凹部を備え、その下端には保冷剤もしくは冷却剤を注入する開口を備え、
該開口には、下方に延長して形成された案内柱を設けた閉じ蓋を連結し、更に、該第一容器の一側面には扇風機の外周形状に合わせて湾曲した形状の停止部を設けた第一容器と、
上記第一容器と対象な構造に形成されると共に、その位置決め凹部に対応して嵌合する位置決め凸部を備えた第二容器、
上記第一、第二容器下端の閉じ蓋の案内柱に対応する嵌合溝を供えて該案内柱に連結される連結柱を一体成型により内部に立設して形成した貯水槽を設けて上記第一、第二容器外周面に形成される凝結水を流入させて貯留する第一、二集水部品をそれぞれ設けたことを特徴とする扇風機に設置される冷風発生装置。
【請求項２】
前記第一容器の位置決め凹部は、第二容器の的位置決め凸部に相対して嵌合連接し、該第一容器的停止部と第二容器の停止部を隣接させ、更に該第一容器の停止部と第二容器の停止部を扇風機の後側上方に架設することを特徴とする請求項１記載の扇風機に設置される冷風発生装置。
【請求項３】
前記第一容器と第二容器は、それぞれ導風孔を設けてなり、嵌合連結した後、両端に「コ」鉤部を設けた一もしくは一以上の定位鉤の一端の「コ」の字型部分をそれぞれ該第一容器の導風孔と第二容器の導風孔に掛け、該各定位鉤の他端の「コ」の字型を扇風機のフレーム条の上方に掛けて設置することを特徴とする請求項１記載の扇風機に設置される冷風発生装置。
【考案の詳細な説明】
【技術分野】
【０００１】
本考案は、扇風機設置の冷風構造に関するもので、扇風機に設置して温度降下作用を発生させ、並びに扇風機の羽根の回転で発生する強制気流によって温度降下後の冷風を前へ吹き付けて風の温度を下げる効果を達成する。
【背景技術】
【０００２】
エアコンを使用する場合、温度を低下する効果は大きいものの、省エネ及び温暖化ガス削減の目的達成という観点からは必ずしも効果は充分とはいえず、却って低下する。もしも扇風機の使用を大幅に高めることができれば、更に省エネを達成して環境保護に役立つはずである。しかしながら、現在、見かける扇風機もしくは箱型扇風機は羽根が回転することによって発生する強制気流の風を使用者に向けるが、その風の涼風の効果は有限であり、一般に炎熱の環境下において扇風機を使用したいとは思わない。そして費用もかかり、環境保護にも適さないエアコンを使用することになる。
【０００３】
そこで、或る業者では体積が比較的大きい大型扇風  機を用いる方法を提案している。大型扇風機の設置空  間に一個の容器を置き、該容器には公知の保冷剤（例  として一般に販売されている氷枕などの中身に使用さ  れている保冷剤）か、もしくは冷却剤を入れて容器ご  と冷凍庫で冷凍した後、大型扇風機の設置空間に設置  し、扇風機の羽根が回転して発生する強制気流から熱  を吸収して温度降下作用を形成し、冷風にして前へ吹  きつける。しかしながら、この種の大型扇風機は体積  が大きい上にコストが高く、且つ冷却作用に伴って形  成される凝結水を取り除くために扇風機の構造設計が  更に複雜であるため、この種の大型扇風機は現在のと  ころ、広く使用されるに到っていない。
【先行技術文献】
【特許文献】
【０００４】
【特許文献１】特開２００４−５２７４５号公報
【特許文献２】特開２００９−１２７６２1号公報
【考案の概要】
【考案が解決しようとする課題】
【０００５】
解決しようとする問題点は、エアコンでは環境保護の趣旨に適さないが、扇風機では涼風の効果が充分ではない点である。
【０００６】
本考案者は、これらを鑑み研究と改良を続け、ついに扇風機設置の冷風構造を考案した。
【課題を解決するための手段】
【０００７】
本考案は、第一容器、第一集水部品、第二容器、第二集水部品から構成され、使用者は冷凍した第一、二容器を連結して一体化した後、扇風機の上方に直接架設する。そして第一、二容器の保冷剤収容槽内の保冷剤もしくは冷却剤の吸熱効果によって、扇風機の羽根が回転することによって発生する強制気流の温度を下げた後、冷風を前へ吹きつけることにより、好適な冷風効果を得て更に省エネを達成し、環境保護の趣旨に合致して実用的である。他に、前述の保冷剤もしくは冷却剤が吸熱効果を発揮する過程において、第一容器と第二容器外壁に形成される凝結水をそれぞれ第一、二容器下端に設けた案内柱から第一、二集水部品の貯水槽内に流入して凝結した水滴が床などに滴下することを防止することを最も主要な特徴とする。
【考案の効果】
【０００８】
本考案の扇風機設置の冷風構造は、扇風機に設置して温度降下作用を発生させ、並びに扇風機の羽根の回転で発生する強制気流によって温度降下後の冷風を前へ吹き付けて風の温度を下げるという利点がある。
【図面の簡単な説明】
【０００９】
【図１】本考案の実施例の立体分解図である。
【図２】本考案実施例の立体組立図である。
【図３】本考案の実施例のうちの第一容器の一部組立断面拡大指示図である。
【図４】本考案の実施例のうちの第二容器の一部組立断面拡大指示図である。
【図５】本考案の実施例を扇風機に設置した立体指示図である。
【図６】本考案の実施例を別の扇風機に設置した立体指示図である。
【考案を実施するための形態】
【００１０】
第一、二容器を連結して一体化した後、直接扇風機の上方に架設し、第一、二容器の保冷剤収容槽内の保冷剤もしくは冷却剤の吸熱効果によって温度降下作用を備え、扇風機の羽根が回転することによって発生する強制気流作用で温度を下げた後、冷風を前へ吹きつけ、温度を下げた冷風効果及び省エネを達成し、且つ環境保護原則に符合して実用的である扇風機設置の冷風構造を提供することを本考案の主な目的とする。
【００１１】
凝結水を案内柱から第一、二集水部品の貯水槽内に流入させ、凝結した水滴が地面に落ちて滑るのを防止するための扇風機設置の冷風構造を提供することを本考案の次の目的とする。
【００１２】
第一、二容器の位置決め凹部と位置決め凸部を相互に掛合して連接した後、扇風機に架設するので、操作が簡単な扇風機設置の冷風構造を提供することを本考案の更に次の目的とする
【００１３】
第一容器と第二容器を掛合して連接した後、一もしくは一以上の定位鉤を異なる種類の扇風機に定位することで、適用範囲が広がる扇風機設置の冷風構造を提供することを本考案の更に次の目的とする
【実施例】
【００１４】
図１から図５に示すとおり、本考案の扇風機設置の冷風構造は以下の構成からなる。
【００１５】
第一容器１は、内部に保冷剤収容槽１１（図３参照）を形成し、その本体一端には位置決め凹部１２を備え、本体下端には開口１３（図３参照）を備える。該開口１３は前述の保冷剤収容槽１１と相互に連通し、該開口１３にはネジ、もしくはその他の連接方式で閉じ蓋１４を連結する。該閉じ蓋１４の下方には案内柱１４１を備え、該第一容器１の扇風機に架設する面には扇風機外形に応じた湾曲した停止部を形成する。
【００１６】
第一集水部品２は、貯水部２１と連結柱２２から構成され、該貯水部２１は貯水槽２１１を備え、また、該連結柱２２は該貯水槽２１１内に一体成型される。該連結柱２２は、前述の第一容器１の閉じ蓋１４の案内柱１４１に対応する嵌合溝２２１を備える。該連結柱２２の嵌合溝２２１によって該第一容器１の案内柱１４と嵌合して連結される。
【００１７】
第二容器３は、内部に保冷剤収容槽３１を形成し（図４参照）、且つ、その一端の本体には前述の第一容器１の位置決め凹部１２に対応する位置決め凸部３２を備え、該前述の第一容器１の位置決め凹部１２を該第二容器３の位置決め凸部３２と対応させて掛合結合する。該第二容器３の下端には開口３３（図３参照）を備え、該開口３３は前述の保冷剤収容槽３１と相互に連通する。更に該開口１３はネジ、もしくはその他の連接方式で閉じ蓋３４を連結し、該閉じ蓋３４の下方には案内柱３４１を備え、該第二容器３の一側には前述の第一容器１の停止部１５と相対する停止部３５を形成する。
【００１８】
第二集水部品４は、貯水部４１と連結柱４２から構成される。該貯水部４１は貯水槽４１１を備え、また該連結柱４２本体は該貯水槽４１１内に一体成形される。該連結柱４２は前述の第二容器３の閉じ蓋３４の案内柱３４１に対応して嵌合溝４２１を備える。該連結柱４２の嵌合溝４２１によって該第二容器３の案内柱３４を嵌合して連結する。
【００１９】
前述の部品の構成によって、第一容器１の開口１３と第二容器３の開口３３から、それぞれ保冷剤（図未提示）、もしくは冷却剤（図未提示）を各保冷剤収容槽１１、３１内に入れる。そして各々を閉じ蓋１４、 ３４で回旋して連結し、それぞれを閉じ蓋１４、３４の案内柱１４１、３４１で第一集水部品２の嵌合溝２２１及び第二集水部品４の嵌合溝４２１に嵌合して連結する。そして冷凍庫で冷凍した後取り出して使用する。使用者は、第一容器１の位置決め凹部１２を第二容器３の位置決め凸部３２に相対させて掛合して結合し、該第一容器１の停止部１５と第二容器３の停止部３５と隣接させる（図２参照）。該第一容器１の停止部１５と第二容器３の停止部３５を扇風機５のフレーム体後側上方５１（図５参照）に跨がせ、更に第一、二容器１３の保冷剤収容槽１１、３１内の保冷剤（図未提示）もしくは冷却剤（図未提示）の吸熱効果によって温度降下作用を形成し、扇風機５の羽根５２が回転することで発生する強制気流が温度を下げて冷風となり前へ吹きつけ、温度を下げた冷風を達成する。更に省エネ及び環境保護の趣旨に適合して実用的である。この他、前述の保冷剤もしくは冷却剤が吸熱効果を発揮する過程で第一容器１と第二容器３外周壁に凝結水が形成されると該凝結水はそれぞれ案内柱１４１、３４１から第一、二集水部品２、４の貯水槽２１１、４１１内に流入し、凝結した水滴が床面上などに滴下するのを防止する。
【００２０】
更に、前述の第一容器１及び第二容器３には、更に一体成型で、複数個の貫通した導風口１６、３６を形成する。
【００２１】
別に図６に示すとおり、前述の第一容器１と第二容器３は掛合して連結した後、一もしくは一以上の定位鉤１８で扇風機６に掛けて取り付ける。
該各定位鉤１８の一端１８１は「コ」の字型でそれを該第一容器１の導風孔１６と第二容器３の導風孔３６に掛け、該各定位鉤１８の他端１８２も「コ」の字型でそれを扇風機６のフレーム条６１上方に掛ける。
【００２２】
上述により、本考案は下述の効果を備える。
一つ目は、第一、二容器１、３を結合した後、直接扇風機５の上方に架設し、第一、二容器１、３の保冷剤収容槽１１、３１内の保冷剤（図未提示）もしくは冷却剤（図未提示）の吸熱効果によって温度降下作用を備え、扇風機５の羽根５１が回転することで発生する強制気流作用によって温度を下げた後の冷風を前へ吹きつけ、温度を下げた冷風効果及び省エネを達成し、且つ環境保護の趣旨に適合して実用的である。
【００２３】
二つ目は、前述の保冷剤もしくは冷却剤による冷却作用により第一容器１と第二容器２外壁に形成される凝結水が、それぞれ案内柱１４１、 ３４１から第一、二集水部品２、４の貯水槽２１１、４１１内へ流入し、凝結した水滴が床などに滴下するのを防ぐ。
【００２４】
三つ目は、第一、二容器１、３は位置決め凹部１２と位置決め凸部３２を相互に掛合して結合した後扇風機５に架設するだけなので操作が簡単である。
【００２５】
四つ目は、第一容器１と第二容器３を掛合して結合した後、一もしくは一以上の定位鉤１８で異なる種類の扇風機６に設置することができるため、扇風機の規格やサイズによらず適用範囲を広げる。
【００２６】
五つ目は、繰り返して使用することが可能であり、使用後は次回の使用に備えて予め第一、二容器１、３を冷凍庫に入れて冷凍しておくことで、直ぐに取り出して使用できる。
【符号の説明】
【００２７】
１        第一容器
１１        保冷剤収容槽
１２        位置決め凹部
１３        開口
１４        閉じ蓋
１４１        案内柱
１５        停止部
１６        導風口
１８        定位鉤
１８１        一端
１８２        別一端
２        第一集水部品
２１        貯水部
２１１        貯水槽
２２        連結柱
２２１        嵌合溝
３        第二容器
３１        保冷剤収容槽
３２        位置決め凸部
３３        開口
３４        閉じ蓋
３４１        案内柱
３５        停止部
３６        導風口
４        第二集水部品
４１        貯水部
４１１        貯水槽
４２        連結柱
４２１        嵌合溝
５        扇風機
５１        上方
５２        羽根
６１        フレーム条
【図１】
0003155870.tif 000003
【図２】
0003155870.tif 000004
【図３】
0003155870.tif 000005
【図４】
0003155870.tif 000006
【図５】
0003155870.tif 000007
【図６】
0003155870.tif 000008